(57)【要約】【課題】既存のエレベータであっても容易に設置することができ、重要なタイミングの画像情報をより詳細に記録することができるエレベータかご内映像記録装置を提供する。【解決手段】撮影装置と記憶装置とで構成され、エレベータかご５０内の撮影及び記録が可能なエレベータかご内映像記録装置であって、記憶装置はハードディスクドライブ３０を備えており、ハードディスクドライブ３０はエレベータかご５０内から開閉可能な点検扉７０を備えた点検箱７８内に設けられている。点検扉７０は点検錠７４を備えており、記憶装置としてのハードディスクドライブ３０は点検箱７８内に設けられたドライブケース８０に収容され、ドライブケース８０は蓋部８２を有しており、点検錠７４を施錠するとドライブケース８０の蓋部８２がロックされるロック機構７６を備える。【選択図】        図２
2005239355.tif 000002
【特許請求の範囲】
【請求項１】
撮影装置と記憶装置とで構成され、エレベータかご内の撮影及び記録が可能なエレベータかご内映像記録装置であって、
記憶装置はハードディスクドライブを備えており、ハードディスクドライブはエレベータかご内から開閉可能な点検扉を備えた点検箱内に設けられている、
ことを特徴とするエレベータかご内映像記録装置。
【請求項２】
撮影装置と記憶装置とで構成され、エレベータかご内の撮影及び記録が可能なエレベータかご内映像記録装置であって、
エレベータかごには点検箱が設けられており、点検箱はエレベータかご内から開閉可能な点検扉を備え、点検扉は点検錠を備えており、
記憶装置としてのハードディスクドライブは点検箱内に設けられたドライブケースに収容され、ドライブケースは蓋部を有しており、
点検錠を施錠するとドライブケースの蓋部がロックされるロック機構を備える、
ことを特徴とするエレベータかご内映像記録装置。
【請求項３】
撮影装置と記憶装置とで構成され、エレベータかご内の撮影及び記録が可能なエレベータかご内映像記録装置であって、
エレベータかごには点検箱が設けられており、点検箱はエレベータかご内から開閉可能な点検扉を備え、点検扉は開錠及び施錠が可能であり、点検扉には施錠状態及び開錠状態を検出可能な検出手段が設けられており、
記憶装置はバッファと記憶媒体とを備えており、バッファは撮影装置から次々と出力される画像情報を蓄え、記憶媒体にはバッファ内に蓄えられた画像情報の中から撮影装置から画像情報が出力される時間間隔よりも長い第１所定時間間隔に対応させて抽出した画像情報が記録され、
点検扉が施錠状態から開錠状態となった場合、開錠された時点を含む第１期間においては第１所定時間間隔よりも短い第２所定時間間隔に対応させて抽出した画像情報を記憶媒体に記録する、
ことを特徴とするエレベータかご内映像記録装置。
【請求項４】
撮影装置と記憶装置とで構成され、エレベータかご内の撮影及び記録が可能なエレベータかご内映像記録装置であって、
エレベータかご内には非常時にエレベータかご内の利用者が外部に連絡するための非常ボタンが設けられており、
記憶装置はバッファと記憶媒体とを備えており、バッファは撮影装置から次々と出力される画像情報を蓄え、記憶媒体にはバッファ内に蓄えられた画像情報の中から撮影装置から画像情報が出力される時間間隔よりも長い第１所定時間間隔に対応させて抽出した画像情報が記録され、
非常ボタンが押された場合、非常ボタンが押された時点を含む第２期間においては第１所定時間間隔よりも短い第３所定時間間隔に対応させて抽出した画像情報を記憶媒体に記録する、
ことを特徴とするエレベータかご内映像記録装置。
【請求項５】
請求項３または４に記載のエレベータかご内映像記録装置であって、
記憶装置は少なくとも２つの記憶媒体を備えており、記憶媒体は点検箱内とエレベータかごの天井部とに少なくとも１つずつ設けられている、
ことを特徴とするエレベータかご内映像記録装置。
【発明の詳細な説明】
【技術分野】
【０００１】
本発明は、エレベータかご内の映像を撮影して記録することが可能なエレベータかご内映像記録装置に関する。
【背景技術】
【０００２】
上記したエレベータかご内映像記録装置に関する技術が特許文献１に開示されている。
特許文献１に記載のエレベータかご内映像記録装置では、防犯等に役立てるためにテレビカメラをエレベータかごの天井に設置し、ビデオ（タイムラプスビデオ）をエレベータかごの運転盤内に設置している。
【特許文献１】特開２０００−２１９４４８号公報
【発明の開示】
【発明が解決しようとする課題】
【０００３】
特許文献１に記載のエレベータかご内映像記録装置では、エレベータかごの運転盤に設置しているビデオがタイムラプスビデオであるため、タイムラプス方式のビデオデッキ（ほぼ家庭用ビデオデッキ程のサイズ）とＶＨＳテープを用いることになる。従って設置するための容積が非常に大きくなり、既存のエレベータに設置しようにも、設置場所が限定されてＶＨＳテープの交換が困難であったり、場合によっては設置不能となる可能性がある。
また従来のタイムラプス方式では一定時間間隔で映像を記録しており（数秒または十数秒に１回、映像を記録）、後から記録された映像を確認した際、重要な場面での映像が不足（時間間隔が大きすぎて詳細な確認ができない）可能性がある。
本発明は、このような点に鑑みて創案されたものであり、既存のエレベータであっても容易に設置することができ、重要なタイミングの画像情報をより詳細に記録することができるエレベータかご内映像記録装置を提供することを課題とする。
【課題を解決するための手段】
【０００４】
上記課題を解決するための手段として、本発明の第１発明は、請求項１に記載されたとおりのエレベータかご内映像記録装置である。
請求項１に記載のエレベータかご内映像記録装置は、撮影装置と記憶装置とで構成され、エレベータかご内の撮影及び記録が可能なエレベータかご内映像記録装置であって、記憶装置はハードディスクドライブを備えており、ハードディスクドライブはエレベータかご内から開閉可能な点検扉を備えた点検箱内に設けられている。
【０００５】
また、本発明の第２発明は、請求項２に記載されたとおりのエレベータかご内映像記録装置である。
請求項２に記載のエレベータかご内映像記録装置は、撮影装置と記憶装置とで構成され、エレベータかご内の撮影及び記録が可能なエレベータかご内映像記録装置であって、エレベータかごには点検箱が設けられており、点検箱はエレベータかご内から開閉可能な点検扉を備え、点検扉は点検錠を備えており、記憶装置としてのハードディスクドライブは点検箱内に設けられたドライブケースに収容され、ドライブケースは蓋部を有しており、点検錠を施錠するとドライブケースの蓋部がロックされるロック機構を備える。
【０００６】
また、本発明の第３発明は、請求項３に記載されたとおりのエレベータかご内映像記録装置である。
請求項３に記載のエレベータかご内映像記録装置は、撮影装置と記憶装置とで構成され、エレベータかご内の撮影及び記録が可能なエレベータかご内映像記録装置であって、エレベータかごには点検箱が設けられており、点検箱はエレベータかご内から開閉可能な点検扉を備え、点検扉は開錠及び施錠が可能であり、点検扉には施錠状態及び開錠状態を検出可能な検出手段が設けられており、記憶装置はバッファと記憶媒体とを備えており、バッファは撮影装置から次々と出力される画像情報を蓄え、記憶媒体にはバッファ内に蓄えられた画像情報の中から撮影装置から画像情報が出力される時間間隔よりも長い第１所定時間間隔に対応させて抽出した画像情報が記録される。そして点検扉が施錠状態から開錠状態となった場合、開錠された時点を含む第１期間においては第１所定時間間隔よりも短い第２所定時間間隔に対応させて抽出した画像情報を記憶媒体に記録する。
【０００７】
また、本発明の第４発明は、請求項４に記載されたとおりのエレベータかご内映像記録装置である。
請求項４に記載のエレベータかご内映像記録装置は、撮影装置と記憶装置とで構成され、エレベータかご内の撮影及び記録が可能なエレベータかご内映像記録装置であって、エレベータかご内には非常時にエレベータかご内の利用者が外部に連絡するための非常ボタンが設けられており、記憶装置はバッファと記憶媒体とを備えており、バッファは撮影装置から次々と出力される画像情報を蓄え、記憶媒体にはバッファ内に蓄えられた画像情報の中から撮影装置から画像情報が出力される時間間隔よりも長い第１所定時間間隔に対応させて抽出した画像情報が記録される。そして非常ボタンが押された場合、非常ボタンが押された時点を含む第２期間においては第１所定時間間隔よりも短い第３所定時間間隔に対応させて抽出した画像情報を記憶媒体に記録する。
【０００８】
また、本発明の第５発明は、請求項５に記載されたとおりのエレベータかご内映像記録装置である。
請求項５に記載のエレベータかご内映像記録装置は、請求項３または４に記載のエレベータかご内映像記録装置であって、記憶装置は少なくとも２つの記憶媒体を備えており、記憶媒体は点検箱内とエレベータかごの天井部とに少なくとも１つずつ設けられている。
【発明の効果】
【０００９】
請求項１に記載のエレベータかご内映像記録装置によれば、記憶装置にはハードディスクドライブ（以下、ハードディスクドライブをＨＤＤと記載する）を用いることで、従来のタイムラプス方式のビデオデッキとＶＨＳテープとで構成された記憶装置と比較して、記憶装置を非常に小さくすることができる（例えばＨＤＤへの映像信号及び駆動信号を出力する電子制御回路と、ＨＤＤとで記憶装置を構成することができる）。
そしてＨＤＤのサイズであれば、エレベータの点検箱内に設けることも可能であり、既存のエレベータであっても容易に設置することができる。
【００１０】
また、請求項２に記載のエレベータかご内映像記録装置によれば、点検扉の施錠／開錠に合わせてドライブケースの蓋部がロック／解除されるので、ＨＤＤの交換作業が容易である。
【００１１】
また、請求項３に記載のエレベータかご内映像記録装置によれば、点検扉が開錠された場合、開錠された時点の前後の第１期間において画像情報を短い間隔で記録するので、重要なタイミングの画像情報をより詳細に記録することができる。
例えば映像記録を抹消しようと試みる悪意ある者の映像を重点的に記録できる可能性が高い。
【００１２】
また、請求項４に記載のエレベータかご内映像記録装置によれば、非常ボタンが押された場合、非常ボタンが押された時点の前後の第２期間において画像情報を短い間隔で記録するので、重要なタイミングの画像情報をより詳細に記録することができる。
例えばエレベータ内でトラブルが発生した場合、トラブルが発生した前後の映像を重点的に記録できる可能性が高い。
【００１３】
また、請求項５に記載のエレベータかご内映像記録装置によれば、例えば天井には交換を前提としない（あるいは交換がやや困難な）記憶媒体を設け、当該記憶媒体の記録方法には最後まで記録したら先頭に戻って上書きする循環的な記録方式を用いる。また、例えば点検箱内には容易に交換可能な記憶媒体を設け、当該記憶媒体の記録方法には最後まで記録したらそれ以降の映像の記録を停止する非循環的な記録方式を用いる。
これにより、天井側の記憶媒体には記録映像のバックアップを残すようにすることができ、エレベータかご内映像記録装置の信頼性を向上させることができる。
【発明を実施するための最良の形態】
【００１４】
以下に本発明を実施するための最良の形態を図面を用いて説明する。図１（Ａ）は本発明のエレベータかご内映像記録装置１の概略外観図を示しており、図１（Ｂ）は図１（Ａ）に示したエレベータかご内映像記録装置１の概略ブロック図を示している。
●［全体構成及び動作（図１）］
図１（Ａ）に示すように、エレベータかご内映像記録装置１は、撮影装置１０（ＣＣＤカメラ等）と記憶装置（この場合、信号処理ユニット２０と、ＨＤＤ３０及びＨＤＤ４０とで記憶装置を構成）とで構成されている。撮影装置１０と信号処理ユニット２０とはケーブルＣａにて接続され、信号処理ユニット２０とＨＤＤ３０及び４０とはケーブルＣｂ及びＣｃにて接続されている。なお、ケーブルＣｂ及びＣｃはパラレル信号またはシリアル信号を伝送するケーブルであり、ＨＤＤ３０及び４０とケーブルＣｂ及びＣｃとの接続部には必要に応じてインターフェース回路を備えている（図示省略）。
このように記憶媒体にＨＤＤを用いているため、従来のタイムラプス方式のビデオデッキは不要であり、記憶装置を非常に小さくすることができ、配置の自由度が大きい。
【００１５】
次に、図１（Ｂ）に示すブロック図を用いて画像情報の記録方法について説明する。撮影装置１０が出力する画像情報の単位は、コマ（フレーム）単位でもフィールド単位でもどちらでもよく、ここではコマ（フレーム）を画像情報の出力単位として説明する。
撮影装置１０の１コマの画像情報をＡ１ａ、Ａ１ａの次に撮影装置１０が出力する１コマの画像情報をＡ１ｂ、Ａ１ｂの次に撮影装置１０が出力する１コマの画像情報をＡ１ｃ、Ａ１ｃの次に撮影装置１０が出力する１コマの画像情報をＡ２ａ、Ａ２ａの次に撮影装置１０が出力する１コマの画像をＡ２ｂ、以下同様とする。
撮影装置１０は、例えば１／３０秒毎もしくは１／６０秒毎に、１コマの画像情報の出力を開始する。そのコマの出力が終了すると、速やかに次のコマの出力を開始する。
【００１６】
信号処理ユニット２０内では、例えば画像情報を圧縮した圧縮画像情報に変換する圧縮手段２２と、ＣＰＵ２８と、ＣＰＵ２８の制御プラグラム等を格納しているＲＯＭ２６と、圧縮画像情報をバッファしたりＣＰＵ２３の処理にて使用されるＲＡＭ２４等がバス２０ｂにて接続されている。そしてＣＰＵ２８はＨＤＤ３０及び４０に記録すべき圧縮画像情報を出力する。なお、ＣＰＵ２８はＨＤＤ３０には非循環的に記録（記憶可能領域の最後まで記録したらそれ以降の記録を停止する記録方法）して、ＨＤＤ４０には循環的に記録（記録可能領域の最後まで記録したら先頭部分に戻って上書きして記録を継続する記録方法）することが可能である。
【００１７】
なお圧縮手段２２を省略してもよい。圧縮手段２２を省略した場合、例えば図１（Ｂ）の例では、ＲＡＭ２４（バッファ）には画像情報Ａ１ａ、Ａ１ｂ、Ａ１ｃ、Ａ２ａ、Ａ２ｂが蓄えられ、ＨＤＤ３０及び４０にはＡ１ａ、Ａ２ａの画像情報が記憶される。なお圧縮手段２２を省略してもよいため、本実施の形態の説明では画像情報と圧縮画像情報とを特に区別しない。
また、撮影装置１０から出力された画像情報の全部を記録するようにしてもよいし、記録時間を長くするために所定タイミング毎の画像情報を記録するようにしてもよい。図１（Ｂ）の例では、画像情報を３個毎にＨＤＤ３０及び４０に記録する例を示しており、撮影装置１０からは、Ａ１ａ、Ａ１ｂ、Ａ１ｃ、Ａ２ａ、Ａ２ｂの画像情報が出力され、ＨＤＤ３０及び４０には、Ａ１ａ、Ａ２ａの画像情報が記録される。
【００１８】
●［エレベータかご内映像記録装置の設置（図２）］
次に、エレベータかご内映像記録装置１をエレベータかごに設置する位置等について説明する。
例えば図２（Ａ）に示すように、撮影装置１０をエレベータかご５０の内側の天井に設け、信号処理ユニット２０及びＨＤＤ４０をエレベータかご５０の外側の天井に設ける。そしてＨＤＤ３０をエレベータかご５０内から開閉可能な点検扉７０を備えた点検箱７８内に設ける。天井に設けたＨＤＤ４０は交換が困難であるため、画像情報を循環的に記録してＨＤＤ３０のバックアップとして使用し、点検箱７８内に設けたＨＤＤ３０は交換が容易であるため、画像情報を非循環的に記録して随時交換していくことが好ましい。なお、ＨＤＤ４０は省略してもよい。
また、本実施の形態では信号処理ユニット２０と、ＨＤＤ３０及び４０とを有線で接続したが、無線で接続するように構成してもよい。無線で接続した場合、ケーブル長あるいはケーブルの這いまわし等に影響されないため、ＨＤＤ３０及び４０の設置の自由度が更に大きくなる。
【００１９】
一般的なエレベータのエレベータかご５０内には利用者が操作可能な利用者操作盤６０が設けられており、利用者操作盤６０にはフロア選択ボタン６２、開閉指示ボタン６４、非常ボタン６６等が設けられている。
また点検扉７０は、図２（Ｂ）の例に示すように、一般的には利用者操作盤６０の下等に設けられており、点検扉７０は錠７４（点検錠）にて施錠状態または開錠状態にすることができる。錠７４を開錠状態にすると、作業者は取っ手７２を持って点検扉７０を開閉可能である（この例では点検扉７０を下にスライドさせると開状態、上にスライドさせると閉状態になる）。なお、点検扉７０の開閉機構、施錠機構等の図示は省略する。
ＨＤＤ３０を容易に交換可能とするためには、作業者が点検扉７０を開状態にした場合に、当該点検扉７０から作業者の手が届く範囲にＨＤＤ３０を設けることが好ましい。例えば図２（Ａ）〜（Ｃ）の例に示すように、点検扉７０の裏側にＨＤＤ３０を設ける。
【００２０】
ＨＤＤ３０はＨＤＤケース８０（ドライブケース）内に収容及び固定されており、ＨＤＤケース８０は点検扉７０に固定されている。そしてＨＤＤケース８０の上部の蓋部８２は蝶番８４等で摺動可能に構成されている。また蓋部８２はロック機構７６にてロック状態に設定されると、ＨＤＤ３０の上部を覆うＨＤＤケース８０の蓋として固定される。このロック機構７６は、点検扉７０の錠７４を施錠状態にするとロック状態に設定され、錠７４を開錠状態にすると解除状態に設定される。これにより、通常時では蓋部８２が閉じた状態でロックされ、錠７４を開錠してＨＤＤ３０を交換しようとする場合にはロックが解除されるので、ＨＤＤ３０を交換する作業性が向上する。
【００２１】
●［エレベータかご内映像記録装置の機能（図３）］
次に、図３を用いてエレベータかご内映像記録装置１の機能について説明する。
［機能１：点検扉が施錠状態から開錠状態に変化した場合の記録方法］
まず点検扉７０の錠７４に施錠状態及び開錠状態を検出可能な検出手段（図示省略）を設けることで、信号処理ユニット２０が施錠状態及び開錠状態を判定可能に構成する。
例えば通常時の記録では、図３（Ａ）に示すように、撮影装置１０から出力される画像情報Ａ１ａ、Ａ１ｂ、Ａ１ｃ、Ａ２ａ、Ａ２ｂ、Ａ２ｃ、Ａ３ａ、Ａ３ｂ、Ａ３ｃ、Ａ４ａ、Ａ４ｂ、Ａ４ｃ・・（時間間隔Ｔで次々と出力される）に対して、信号処理ユニット２０は３個毎の画像情報Ａ１ａ、Ａ２ａ、Ａ３ａ、Ａ４ａ（時間間隔Ｔよりも長い第１所定時間間隔Ｔ１に対応させて抽出）をＨＤＤ３０及び４０に記録する。
【００２２】
ここで、例えば信号処理ユニット２０は画像情報Ａ２ｃを記録中に点検扉７０が施錠状態から開錠状態になったことを判定すると、開錠された時点を含む第１期間Ｋ１における画像情報の中から第１所定時間間隔Ｔ１よりも短い第２所定時間間隔Ｔ２に対応させて抽出した画像情報をＨＤＤ３０及び４０に記録する。なお、開錠された時点から前の画像情報は、ＲＡＭ２４（バッファ）に残っている画像情報を用いる（ＲＡＭ２４には、画像情報Ａ１ａ、Ａ１ｂ、Ａ１ｃ、Ａ２ａ、Ａ２ｂ、Ａ２ｃ、Ａ３ａ、Ａ３ｂ、Ａ３ｃ、Ａ４ａ、Ａ４ｂ、Ａ４ｃ・・が蓄えられている）。
例えば図３（Ｂ）に示す例では、開錠された時点から前３個の画像情報（画像情報Ａ１ｃ、Ａ２ａ、Ａ２ｂ）と、開錠された時点を含む後４個の画像情報（画像情報Ａ２ｃ、Ａ３ａ、Ａ３ｂ、Ａ３ｃ）をＨＤＤ３０及び４０に記録する。なお、第１期間Ｋ１を経過した後は第１所定時間間隔Ｔ１毎に画像情報を記録する動作に戻る。
これにより、重要なタイミングの画像情報をより詳細に記録することができ、例えば映像記録を抹消しようと試みる悪意ある者の映像を重点的に記録できる可能性が高くなる。この場合ＨＤＤ４０を天井に設けておけば、ＨＤＤ３０が抜き取られても、ＨＤＤ４０に映像の記録を残すことができる。
【００２３】
［機能２：非常ボタンが押された場合の記録方法］
上述した［機能１］と同様に、通常時の記録では、図３（Ａ）に示すように、撮影装置１０から出力される画像情報Ａ１ａ、Ａ１ｂ、Ａ１ｃ、Ａ２ａ、Ａ２ｂ、Ａ２ｃ、Ａ３ａ、Ａ３ｂ、Ａ３ｃ、Ａ４ａ、Ａ４ｂ、Ａ４ｃ・・（時間間隔Ｔで次々と出力される）に対して、信号処理ユニット２０は３個毎の画像情報Ａ１ａ、Ａ２ａ、Ａ３ａ、Ａ４ａ（時間間隔Ｔよりも長い第１所定時間間隔Ｔ１に対応させて抽出）をＨＤＤ３０及び４０に記録する。
ここで、例えば信号処理ユニット２０は画像情報Ａ２ｃを記録中に非常ボタン６６が押されたことを判定すると、非常ボタン６６が押された時点を含む第２期間Ｋ２（図示省略）における画像情報の中から第１所定時間間隔Ｔ１よりも短い第３所定時間間隔Ｔ３（図示省略）に対応させて抽出した画像情報をＨＤＤ３０及び４０に記録する。なお、第２期間Ｋ２を経過した後は第１所定時間間隔Ｔ１毎に画像情報を記録する動作に戻る。
これにより、重要なタイミングの画像情報をより詳細に記録することができ、例えばエレベータ内でトラブルが発生して非常ボタン６６が押された場合、トラブル発生の前後の映像を重点的に記録できる。
【００２４】
［機能３：施錠忘れの防止］
点検扉７０の錠７４に施錠状態及び開錠状態を検出可能な検出手段（図示省略）を設けることで、信号処理ユニット２０が施錠状態及び開錠状態を判定可能に構成する。また、点検扉７０の閉状態を検出可能な検出手段（図示省略、施錠状態及び開錠状態を検出可能な検出手段と共通としてもよいし別々の検出手段としてもよい）を設け、信号処理ユニット２０が閉状態を判定可能に構成する。
作業者が作業を終えて点検扉７０を閉状態に戻した後、錠７４の施錠を忘れると、信号処理ユニット２０は点検扉７０が閉状態であるにもかかわらず錠７４が開錠状態あると判定して警報を出力する。警報の出力方法の例としては、例えば図３（Ｃ）に示すように点検扉７０に警報ランプまたは警報ブザー７９を設けて出力する。
これにより、作業者が点検扉７０の施錠を忘れることを防止できる。
【００２５】
本発明のエレベータかご内映像記録装置１は、本実施の形態で説明した外観、構成、配置、処理等に限定されず、本発明の要旨を変更しない範囲で種々の変更、追加、削除が可能である。
本発明のエレベータかご内映像記録装置１は、本実施の形態にて説明したエレベータかご内の他にも種々の場所に設けることが可能であり、種々の防犯装置等に適用することが可能である。
ロック機構７６の構造は、本実施の形態に示す構造に限定されるものではない。
本実施の形態の説明に用いた数値等は一例であり、この数値等に限定されるものではない。
【図面の簡単な説明】
【００２６】
【図１】本発明のエレベータかご内映像記録装置１の一実施の形態の概略外観図、及び概略ブロック図である。
【図２】本発明のエレベータかご内映像記録装置１の構成要素の設置位置等を説明する図である。
【図３】本発明のエレベータかご内映像記録装置１のその他の機能の例を説明する図である。
【符号の説明】
【００２７】
１      エレベータかご内映像記録装置
１０    撮影装置
２０    信号処理ユニット
２２    圧縮手段
２４    ＲＡＭ（バッファ）
２６    ＲＯＭ
２８    ＣＰＵ
３０、４０    ハードディスクドライブ（ＨＤＤ）
５０    エレベータかご
６０    利用者操作盤
６６    非常ボタン
７０    点検扉
７４    錠（点検錠）
７６    ロック機構
７８    点検箱
８０    ＨＤＤケース
８２    ケース蓋部
Ｃａ、Ｃｂ、Ｃｃ    ケーブル
【図１】
2005239355.tif 000003
【図２】
2005239355.tif 000004
【図３】
2005239355.tif 000005